(57)【要約】  空調制御装置（１）は、空調機と通信を行う通信部（３０）と、ユーザからの入力操作を受け付ける操作受付部（２０）と、日射影響判定部（５４）と、省エネ制御部（５５）と、を備える。日射影響判定部（５４）は、操作受付部（２０）を介してユーザにより入力された空調機の設置位置に関する情報に基づいて、その空調機の設置場所が日射の影響を受けるか否かを判定する。省エネ制御部（５５）は、日射影響判定部（５４）による判定結果に基づいて、空調機の省エネ制御を実行する。
2014038040.tif 000002
【特許請求の範囲】
【請求項１】
空調機と通信を行う通信部と、
ユーザからの入力操作を受け付ける操作受付部と、
前記操作受付部を介してユーザにより入力された前記空調機の設置位置に関する情報に基づいて、前記空調機の設置場所が日射の影響を受けるか否かを判定する日射影響判定部と、
前記日射影響判定部による判定結果に基づいて、前記空調機の省エネ制御を実行する省エネ制御部と、を備える空調制御装置。
【請求項２】
ユーザにより入力された前記空調機の設置位置に関する情報から、前記空調機が設置されたフロアにおける前記空調機の設置方角を決定する方角決定部をさらに備え、
前記日射影響判定部は、前記設置方角に基づいて、前記空調機の設置場所が日射の影響を受けるか否かを判定する請求項１に記載の空調制御装置。
【請求項３】
前記省エネ制御部は、前記日射影響判定部による判定結果と、現在の時間帯と、前記設置方角と、に基づいて、前記空調機の省エネ制御を実行する請求項２に記載の空調制御装置。
【請求項４】
前記省エネ制御部は、冷房運転時において、日射の影響を受ける場所に設置された空調機の省エネ強度を、日射の影響を受けない場所に設置された空調機の省エネ強度よりも弱くする請求項１に記載の空調制御装置。
【請求項５】
操作受付部を介してユーザにより入力された空調機の設置位置に関する情報に基づいて、前記空調機の設置場所が日射の影響を受けるか否かを判定する日射影響判定ステップと、
前記日射影響判定ステップでの判定結果に基づいて、前記空調機の省エネ制御を実行する省エネ制御ステップと、を含む空調制御方法。
【請求項６】
コンピュータを、
操作受付部を介してユーザにより入力された空調機の設置位置に関する情報に基づいて、前記空調機の設置場所が日射の影響を受けるか否かを判定する日射影響判定部、
前記日射影響判定部による判定結果に基づいて、前記空調機の省エネ制御を実行する省エネ制御部、として機能させるプログラム。
【発明の詳細な説明】
【技術分野】
【０００１】
本発明は、ビル等に設置された複数の空調機を制御する技術に関する。
【背景技術】
【０００２】
従来より、ビル等に設置された複数の空調機の運転制御に関して、省エネルギー化を目的とした様々な技術が提案されている。例えば、各空調機を間欠的に運転させる制御や、空調エリアを複数のゾーンに分割し、各ゾーンに対応する空調機の運転を時間帯をずらしながら順番に停止させる制御などは、よく知られている。【０００３】
また、特許文献１には、上記のような制御ではなく、日射の影響を受ける利用者及び日射の影響を受けない利用者の快適性をなるべく損なうことなく、空調機の省エネルギー化を目的とした空調管理システム等について記載されている。【０００４】
特許文献１に記載の空調管理システムは、空調制御装置と、複数の空調機と、太陽光を受光して空調制御の指標となる所定の実測値を測定する照度計を備える。この空調制御装置は、照度計の実測値と、予め設定した閾値とを比較することで、当該照度計に対応する空調機の省エネルギー制御が可能な状況であるか否かを判断する。そして、空調制御装置は、省エネルギー制御が可能であると判断した場合、例えば、冷房運転時ならば当該空調機の設定温度を所定温度上げる制御を行う。
【先行技術文献】
【特許文献】
【０００５】
【特許文献１】特開２０１１−６４３４４号公報
【発明の概要】
【発明が解決しようとする課題】
【０００６】
上記の特許文献１に記載の空調管理システムでは、照度計等の計測装置を設置するためのコストが従来より余分にかかり、システムのイニシャルコストが嵩んでしまう問題がある。また、この空調管理システムでは、窓際に設置された照度計に対応する空調機、具体的には、窓際に設置された照度計による照度の計測範囲（照度有効ゾーン）内に設置されている空調機のみが、省エネルギー制御の対象となっている。このため、特許文献１に記載の制御では、例えば、ビル等における同一フロアにおいて、照度有効ゾーンとそれ以外の領域（換言すると、窓際から離れた領域）との間に快適性の不均衡が生じると共に、空調機の省エネルギーが十分でないという懸念がある。【０００７】
本発明は、上記従来の問題を解決するためになされたものであり、照度計等の計測装置を必要とせずに、日射の影響を加味した空調機の省エネルギー制御を実行できる空調制御装置等を提供することを目的とする。
【課題を解決するための手段】
【０００８】
上記目的を達成するため、本発明に係る空調制御装置は、
空調機と通信を行う通信部と、
ユーザからの入力操作を受け付ける操作受付部と、
前記操作受付部を介してユーザにより入力された前記空調機の設置位置に関する情報に基づいて、前記空調機の設置場所が日射の影響を受けるか否かを判定する日射影響判定部と、
前記日射影響判定部による判定結果に基づいて、前記空調機の省エネ制御を実行する省エネ制御部と、を備える。
【発明の効果】
【０００９】
本発明によれば、照度計等の計測装置を必要とせずに、日射の影響を加味した空調機の省エネルギー制御を実行できるため、快適性を損なうことなく、空調機の適切な省エネルギーを実現できる。
【図面の簡単な説明】
【００１０】
【図１】本発明の実施形態に係る空調制御装置を備える空調システムを示す図である。
【図２】図１に示す空調制御装置の構成を示すブロック図である。
【図３】図２に示す制御管理テーブルの構成を示す図である。
【図４】図２に示す位置管理テーブルの構成を示す図である。
【図５】方角の設定例について説明するための図である。
【図６】図２に示す平面図管理テーブルの構成を示す図である。
【図７】フロア選択画面の一例を示す図である。
【図８】座標設定画面の表示初期の一例を示す図である。
【図９】機器アドレス入力画面の一例を示す図である。
【図１０】座標設定画面でのアイコンの移動について説明するための図である。
【図１１】座標設定画面において、空調機を示すアイコンの配置が完了した状態を示す図である。
【図１２】本実施形態の空調制御装置が実行する方角決定処理の手順を示すフローチャートである。
【図１３】本実施形態の空調制御装置が実行する日射影響有無判定処理の手順を示すフローチャートである。
【図１４】本実施形態の空調制御装置が実行する冷房運転時の省エネ制御の内容を示す図である。
【図１５】本実施形態の空調制御装置が実行する暖房運転時の省エネ制御の内容を示す図である。
【図１６】本実施形態の空調制御装置が実行する冷房運転時の省エネ強度調整処理の手順を示すフローチャートである。
【図１７】他の実施形態での座標設定画面の表示初期の一例を示す図である。
【発明を実施するための形態】
【００１１】
以下、本発明の一実施形態に係る空調制御装置について図面を参照して詳細に説明する。
【００１２】
図１は、本発明の実施形態に係る空調制御装置１を備えた空調システムの全体構成を示す図である。この空調システムは、例えば、オフィスビル内の空調を行うためのシステムであり、図１に示すように、空調制御装置１と、複数の空調機２と、から構成される。空調制御装置１と各空調機２は、専用通信線３で互いに通信可能に接続されている。
【００１３】
各空調機２は、所定の居室空間において異なる位置にそれぞれ設置され、空調制御装置１の制御の下で監視、制御される。空調機２は、空調制御装置１からの制御データを受信すると、かかる制御データの内容に従って、運転の開始／停止、冷房，暖房，除湿，送風等の運転モードの切り替え、設定温度の変更や風量等の変更を行う。
【００１４】
また、各空調機２は、図示しないリモートコントローラと通信可能に接続する。かかるリモートコントローラは、ユーザからの入力操作を受け付け、受け付けた入力操作に係る信号（操作信号）を対応する空調機２に送信する。空調機２は、このようにしてリモートコントローラから送信された操作信号に基づいた運転動作も行う。その場合、空調機２は、リモートコントローラからの操作信号に基づいて変更した自機の動作状態に係るデータ（状態変更データ）を空調制御装置１に送信する。なお、リモートコントローラは、各空調機２毎に１台ずつ設けられていてもよいし、１台のリモートコントローラが複数台の空調機２に対応するように設けられていてもよい。
【００１５】
空調制御装置１は、複数の空調機２を統括的に制御、管理する。図２に示すように、空調制御装置１は、表示部１０、操作受付部２０、通信部３０、データ記憶部４０及び制御部５０を備える。
【００１６】
表示部１０は、例えば、液晶表示器等で構成され、制御部５０の制御の下、ユーザ操作用の画面や、監視画面等、空調機２に関する様々な情報等の表示を行う。操作受付部２０は、例えば、キーボード、マウス、キーパッド、タッチパッドやタッチパネル等で構成され、ユーザからの入力操作を受け付け、受け付けた入力操作に係る信号を制御部５０に送出する。
【００１７】
通信部３０は、例えば、ネットワークカード等の通信インタフェースで構成され、制御部５０の制御の下、専用通信線３を介して、空調機２と所定の通信方式に則った通信を行う。
【００１８】
データ記憶部４０は、フラッシュメモリ等の読み書き可能な不揮発性の半導体メモリやハードディスクドライブ等から構成される。データ記憶部４０は、空調機２を制御するための情報やプログラム等を記憶する。具体的には、データ記憶部４０には、空調機情報４１と、画面表示情報４２と、プログラム４３と、が記憶される。
【００１９】
空調機情報４１は、各空調機２を制御するための情報であり、例えば、制御管理テーブル４１０と、位置管理テーブル４１１と、を含む。制御管理テーブル４１０は、図３に示すように、機器アドレス４１００、運転状態４１０１、日射影響有無４１０２等を含むレコードが、全空調機２の設置台数分登録されたデータテーブルである。
【００２０】
機器アドレス４１００には、対応する空調機２に割り振られた通信上のアドレスが設定される。運転状態４１０１には、対応する空調機２の運転・停止状態や、冷房や暖房などの運転モード、設定温度、室内温度など、対応する空調機２の現在の運転状態を示す情報（運転状態情報）が設定される。
【００２１】
日射影響有無４１０２には、対応する空調機２の空調エリア、換言すると、対応する空調機２の設置場所が日射の影響を受けるか否かを示す情報（日射影響有無情報）が設定される。例えば、日射の影響を受ける場合、日射影響有無情報は“１”となり、日射の影響を受けない場合、日射影響有無情報は“０”となる。日射影響有無４１０２への日射影響有無情報の設定手法については後述する。
【００２２】
位置管理テーブル４１１は、図４に示すように、機器アドレス４１１０、平面図ＩＤ４１１１、設置位置４１１２、方角４１１３等を含むレコードが、全空調機２の設置台数分登録されたデータテーブルである。機器アドレス４１１０には、上記の機器アドレス４１００と同様、対応する空調機２に割り振られた通信上のアドレスが設定される。
【００２３】
平面図ＩＤ４１１１には、各居室空間を示す平面図を識別するために予め割り振られたＩＤが設定される。本実施形態では、平面図は、当該オフィスビルの各フロアに対応して１図ずつ用意されているものとする。
【００２４】
設置位置４１１２には、対応する空調機２の設置位置を示す情報が設定される。本実施形態では、設置位置４１１２には、表示部１０により表示された平面図を示す画面上の座標（ピクセル単位）が設定される。
【００２５】
方角４１１３には、対応する空調機２の設置位置における方角を示す情報（方角情報）が設定される。方角４１１３への方角情報の設定手法については後述する。例えば、このオフィスビルのあるフロアにおいて、図５に示すように、９台の空調機２が設置されている場合、機器アドレス“０１”〜“０９”の各空調機２の方角は、以下のようになる。
空調機（０１）：北西
空調機（０２）：北
空調機（０３）：北東
空調機（０４）：西
空調機（０５）：なし（何れの方角にも該当しない）
空調機（０６）：東
空調機（０７）：南西
空調機（０８）：南
空調機（０９）：南東
【００２６】
なお、本実施形態では、図５に示すように、各フロアは、東西南北の四方に面しており、フロアの四方の各方角端には窓が設けられているものとする。
【００２７】
図２に戻り、画面表示情報４２は、表示部１０の液晶画面等に監視画面等を表示するための情報である。画面表示情報４２には、例えば、平面図管理テーブル４２０と、平面図データ４２１と、が含まれる。平面図管理テーブル４２０は、図６に示すように、平面図ＩＤ４２００、データポインタ４２０１等を含むレコードが、平面図数分登録されたデータテーブルである。
【００２８】
平面図ＩＤ４２００には、上述した平面図ＩＤ４１１１（図４参照）と同様、各平面図を識別するために予め割り振られたＩＤが設定される。データポインタ４２０１には、この平面図に対応する画像データ（平面図データ４２１）の格納先（メモリアドレス）を示す情報（ポインタ）が設定される。
【００２９】
各平面図データ４２１は、各フロアに対応する平面図の画像データである。各平面図データ４２１は、例えば、ユーザにより他のパーソナル・コンピュータ等で作成され、データ記憶部４０に格納されたものである。各平面図データ４２１には、対応するフロアの状況に応じた間取り、パーティション、柱、窓、階段等が記されている。
【００３０】
図２に戻り、プログラム４３は、制御部５０によって実行されるコンピュータ・プログラムであり、空調制御プログラム４３０と、位置情報設定プログラム４３１と、方角決定プログラム４３２と、日射影響判定プログラム４３３と、省エネ制御プログラム４３４と、を含む。
【００３１】
空調制御プログラム４３０は、各空調機２に対する通常の動作制御について記述されたプログラムである。例えば、空調制御プログラム４３０には、監視画面を表示し、その監視画面を介して、ユーザから、制御対象の空調機２の指定及び操作指示を受け付ける処理について記述されている。また、空調制御プログラム４３０には、ユーザから受け付けた操作指示などに従って制御データを生成し、指定された空調機２に対して、生成した制御データを送信する処理について記述されている。
【００３２】
位置情報設定プログラム４３１は、各空調機２について、設置位置に関する情報等を設定するための処理について記述されたプログラムである。例えば、位置情報設定プログラム４３１には、ユーザから、空調機２の設置位置に関する情報の設定等の入力操作を受け付ける処理について記述されている。また、位置情報設定プログラム４３１には、ユーザから受け付けた情報等に基づいて、位置管理テーブル４１１の各レコードの各項目に情報を設定する処理について記述されている。
【００３３】
方角決定プログラム４３２は、各空調機２の設置方角を決定するための処理について記述されたプログラムである。
【００３４】
日射影響判定プログラム４３３は、各空調機２について、その設置場所が日射の影響を受けるか否かを判定するための処理が記述されたプログラムである。例えば、日射影響判定プログラム４３３には、位置管理テーブル４１１の設定内容に基づいて、各空調機２の設置場所における日射影響の有無を判定する処理について記述されている。また、日射影響判定プログラム４３２には、その判定結果（即ち、日射影響有無情報）を制御管理テーブル４１０のの日射影響有無４１０２に設定する処理について記述されている。
【００３５】
省エネ制御プログラム４３４は、各空調機２に対する省エネ制御について記述されたプログラムである。例えば、省エネ制御プログラム４３４には、所定条件の下、各空調機２に間欠運転させる処理について記述されている。
【００３６】
制御部５０は、何れも図示しないが、ＣＰＵ（Central Processing Unit）、ＲＯＭ（Read Only Memory）、ＲＡＭ（Random Access Memory）等を備える。また、制御部５０は、機能的には、空調制御部５１と、位置情報設定部５２と、方角決定部５３と、日射影響判定部５４と、省エネ制御部５５と、を備える。制御部５０のこれらの各機能は、ＣＰＵがデータ記憶部４０に格納された上記の各プログラムを実行することで実現される。
【００３７】
空調制御部５１は、空調制御プログラム４３０に基づいた処理を実行する。空調制御部５１は、従来のこの種の空調制御装置と同様の処理、例えば、監視画面を介してユーザから受け付けた操作指示に従って空調機２の運転動作を制御する処理を実行する。また、空調制御部５１は、空調機２から送信された上述の状態変更データを通信部３０を介して受信すると、受信した状態変更データに基づいて、制御管理テーブル４１０の対応するレコードの運転状態４１０１の内容を更新する。
【００３８】
位置情報設定部５２は、位置情報設定プログラム４３１に基づいた処理を実行する。位置情報設定部５２は、起動すると、図７に示すような、フロアの選択をユーザに促す画面（フロア選択画面７０１）を表示部１０を介して表示する。図７に示すように、このフロア選択画面７０１は、フロア選択フィールド７０２、ＯＫボタン７０３、キャンセルボタン７０４等を含んで構成される。
【００３９】
フロア選択フィールド７０２は、ユーザが空調機２の設置位置に関する情報を設定したいフロアを選択するためのドロップダウンリストである。ユーザは、押下操作によりフロア選択フィールド７０２に一覧表示されるフロア番号（例えば、“１”，“２”，…）から、所望のフロアを選択することができる。ユーザにより、上記の選択が行われ、ＯＫボタン７０３が押下操作されると、位置情報設定部５２は、フロア選択画面７０１を閉じると共に、図８に示す座標設定画面８０１を表示部１０を介して表示する。一方、キャンセルボタン７０４が押下操作されると、座標設定画面８０１を表示することなく、フロア選択画面７０１を閉じる。
【００４０】
座標設定画面８０１は、図８に示すように、ユーザが選択したフロアに対応する平面図を示すエリアである平面図エリア８０２と、追加ボタン８０３と、ＯＫボタン８０４と、キャンセルボタン８０５と、を含んで構成される。平面図エリア８０２には、画面上方が北側を示す旨が記されている。ユーザにより追加ボタン８０３が押下操作されると、位置情報設定部５２は、図９に示すような機器アドレス入力画面９０１を表示部１０を介してポップアップ表示する。機器アドレス入力画面９０１は、機器アドレス入力フィールド９０２、ＯＫボタン９０３、キャンセルボタン９０４等を含んで構成される。
【００４１】
機器アドレス入力フィールド９０２は、ユーザが、設置位置に関する情報の設定を所望する空調機２の機器アドレスを入力するためのテキストボックスである。ユーザは、機器アドレス入力フィールド９０２に所望の機器アドレス（図９の例では、“０１”）を直接テキスト入力することができる。ユーザにより機器アドレスが入力され、ＯＫボタン９０３が押下操作されると、位置情報設定部５２は、機器アドレス入力画面９０１を閉じると共に、図１０に示すように、入力された機器アドレスに対応する空調機２を示すアイコンを座標設定画面８０１の平面図エリア８０２の所定位置に表示する。一方、キャンセルボタン９０４が押下操作された場合は、新たなアイコンは座標設定画面８０１の平面図エリア８０２に表示されない。
【００４２】
空調機２を示すアイコンは、ユーザ操作によって移動可能な態様で座標設定画面８０１の平面図エリア８０２に表示される。また、平面図エリア８０２には、アイコンの現在の位置を示す座標が表示される。ユーザは、工事図面等を参照し、図１０に示すように、平面図エリア８０２上の空調機２を示すアイコンをドラッグ操作して、所望の位置に移動させることができる。
【００４３】
以上のようにして、当該フロアに設定している全ての空調機２に対応するアイコンの配置が完了し（図１１参照）、ユーザによりＯＫボタン８０４が押下操作されると、位置情報設定部５２は、方角決定部５３を起動させる。一方、ユーザによりキャンセルボタン８０５が押下操作されると、位置情報設定部５２は、方角決定部５３を起動させることなく、座標設定画面８０１を閉じる。
【００４４】
方角決定部５３は、方角決定プログラム４３２に基づいた処理を実行する。方角決定部５３は、ユーザにより配置された上記の各アイコンに対応する空調機２について、当該フロアにおいて、どの方角に設置されているかを決定する処理（方角決定処理）を実行する。図１２は、方角決定処理の手順を示すフローチャートである。方角決定部５３は、平面図エリア８０２上の全アイコンの内の１つを処理対象として選択する（ステップＳ１０１）。方角決定部５３は、選択したアイコンの座標を取得する（ステップＳ１０２）。
【００４５】
次に、方角決定部５３は、選択したアイコンの位置が平面図エリア８０２の上端に近接しているか否かを判定する（ステップＳ１０３）。具体的には、方角決定部５３は、当該アイコンのｙ座標（縦方向の座標）が、平面図エリア８０２の縦サイズの１／３以内であるか否かを判定する。ここで、本実施形態では、平面図エリア８０２の画面サイズ（画面解像度）は、８００×６００（ピクセル）であるものとする。
【００４６】
図１１の例では、空調機（０１）に対応するアイコンのｙ座標は“１００”なので、平面図エリア８０２の縦サイズの１／３以内であることが判る。また、空調機（０４）に対応するアイコンのｙ座標は“３００”なので、平面図エリア８０２の縦サイズの１／３以内でないことが判る。
【００４７】
上記の判定の結果、選択したアイコンの位置が平面図エリア８０２の上端に近接している場合（ステップＳ１０３；ＹＥＳ）、方角決定部５３は、北フラグをＯＮにする（ステップＳ１０４）。北フラグとは、処理対象のアイコンが平面図の上端に近接しているか否かを示すフラグである。
【００４８】
一方、選択したアイコンの位置が平面図エリア８０２の上端に近接していない場合（ステップＳ１０３；ＮＯ）、方角決定部５３は、選択したアイコンの位置が平面図エリア８０２の下端に近接しているか否かを判定する（ステップＳ１０５）。具体的には、位置情報設定部５２は、当該アイコンのｙ座標が、平面図エリア８０２の縦サイズの２／３以上であるか否かを判定する。
【００４９】
図１１の例では、空調機（０８）に対応するアイコンのｙ座標は“５００”なので、平面図エリア８０２の縦サイズの２／３以上であることが判る。また、空調機（０５）に対応するアイコンのｙ座標は“３００”なので、平面図エリア８０２の縦サイズの２／３以上でないことが判る。
【００５０】
上記の判定の結果、選択したアイコンの位置が平面図エリア８０２の下端に近接している場合（ステップＳ１０５；ＹＥＳ）、方角決定部５３は、南フラグをＯＮにする（ステップＳ１０６）。南フラグとは、処理対象のアイコンが平面図の下端に近接しているか否かを示すフラグである。
【００５１】
次に、方角決定部５３は、選択したアイコンの位置が平面図エリア８０２の右端に近接しているか否かを判定する（ステップＳ１０７）。具体的には、方角決定部５３は、当該アイコンのｘ座標が、平面図エリア８０２の横サイズの２／３以上であるか否かを判定する。
【００５２】
図１１の例では、空調機（０３）に対応するアイコンのｘ座標は“６５０”なので、平面図エリア８０２の横サイズの２／３以上であることが判る。また、空調機（０２）に対応するアイコンのｘ座標は“３９０”なので、平面図エリア８０２の横サイズの２／３以上でないことが判る。
【００５３】
上記の判定の結果、選択したアイコンの位置が平面図エリア８０２の右端に近接している場合（ステップＳ１０７；ＹＥＳ）、方角決定部５３は、東フラグをＯＮにする（ステップＳ１０８）。東フラグとは、処理対象のアイコンが平面図の右端に近接しているか否かを示すフラグである。
【００５４】
一方、選択したアイコンの位置が平面図エリア８０２の右端に近接していない場合（ステップＳ１０７；ＮＯ）、方角決定部５３は、選択したアイコンの位置が平面図エリア８０２の左端に近接しているか否かを判定する（ステップＳ１０９）。具体的には、方角決定部５３は、当該アイコンのｘ座標が、平面図エリア８０２の横サイズの１／３以内であるか否かを判定する。
【００５５】
図１１の例では、空調機（０１）に対応するアイコンのｘ座標は“１３０”なので、平面図エリア８０２の横サイズの１／３以内であり、空調機（０２）に対応するアイコンのｘ座標は“３９０”なので、平面図エリア８０２の横サイズの１／３以内でないことが判る。
【００５６】
上記の判定の結果、選択したアイコンの位置が平面図エリア８０２の左端に近接している場合（ステップＳ１０９；ＹＥＳ）、方角決定部５３は、西フラグをＯＮにする（ステップＳ１１０）。西フラグとは、処理対象のアイコンが平面図の左端に近接しているか否かを示すフラグである。
【００５７】
次に、方角決定部５３は、ＯＮになっているフラグに基づいて、当該アイコンに対応する空調機２の設置位置における方角を決定する（ステップＳ１１１）。例えば、北フラグのみがＯＮになっている場合、方角決定部５３は、方角は北であるとして決定する。同様に、南フラグのみがＯＮになっている場合は、方角は南であるとして決定し、東フラグのみがＯＮになっている場合は、方角は東であるとして決定し、西フラグのみがＯＮになっている場合は、方角は西であるとして決定する。また、北フラグと東フラグがＯＮになっている場合は、方角は北東であるとして決定し、北フラグと西フラグがＯＮになっている場合は、方角は北西であるとして決定する。同様に、南フラグと東フラグがＯＮになっている場合は、方角は南東であるとして決定し、南フラグと西フラグがＯＮになっている場合は、方角は南西であるとして決定する。
【００５８】
なお、何れのフラグもＯＮになっていない場合は、当該アイコンに対応する空調機２の設置位置における方角は、何れの方角にも該当せず、“なし”となる。
【００５９】
方角決定部５３は、処理対象として、全てのアイコンの選択が完了したか否かを判定する（ステップＳ１１２）。全てのアイコンの選択が完了した場合（ステップＳ１１２；ＹＥＳ）、方角決定部５３は、この方角決定処理を終了する。一方、全てのアイコンの選択が完了していな場合（ステップＳ１１２；ＮＯ）、方角決定部５３の処理は、ステップＳ１０１に戻る。
【００６０】
位置情報設定部５２は、方角決定部５３による方角決定処理が終了すると、座標設定画面８０１を閉じると共に、位置管理テーブル４１１の対応するレコードに、自己が取得した情報と、方角決定部５３により決定された方角を示す情報（方角情報）と、を設定する。また、位置情報設定部５２は、日射影響判定部５４を起動させる。
【００６１】
日射影響判定部５４は、日射影響判定プログラム４３３に基づいた処理を実行する。日射影響判定部５４は、位置管理テーブル４１１から、位置情報設定部５２により情報が設定されたレコードを順次選択し、方角４１１３に設定されている方角情報に基づいて、対応する空調機２の設置場所が、日射の影響を受けるか否かを判定する処理（日射影響有無判定処理）を実行する。
【００６２】
図１３は、日射影響有無判定処理の手順を示すフローチャートである。先ず、日射影響判定部５４は、方角４１１３に設定されている方角情報を読み出す（ステップＳ２０１）。日射影響判定部５４は、読み出した方角情報が、南、東、西、北東、北西、南東、南西の内の何れかを示すものであるか否かを判定する（ステップＳ２０２）。その結果、読み出した方角情報が、これらの方角の内の何れかを示す場合（ステップＳ２０２；ＹＥＳ）、日射影響判定部５４は、日射の影響を受けると判定し、制御管理テーブル４１０の対応するレコードの日射影響有無４１０２に“１”を設定する（ステップＳ２０３）。
【００６３】
一方、読み出した方角情報が、上記の方角の何れも示すものではない場合、即ち、読み出しだ方角情報が、北あるいは未定の何れかを示すものである場合（ステップＳ２０２；ＮＯ）、日射影響判定部５４は、日射の影響を受けないと判定し、制御管理テーブル４１０の対応するレコードの日射影響有無４１０２に“０”を設定する（ステップＳ２０４）。
【００６４】
図２に戻り、省エネ制御部５５は、省エネ制御プログラム４３４に基づいた処理を実行する。省エネ制御部５５は、各空調機２について、節電を目的とした省エネ制御を実行する。本実施形態では、省エネ制御部５５は、各空調機２に間欠運転させることで省エネを実現する。省エネ制御部５５は、各空調機２を一律に同条件で間欠運転させるのではなく、日中の所定時間帯（例えば、１０時〜１７時）においては、日射の影響を受ける空調機２と、日射の影響を受けない空調機２との間で省エネの強度を異なるようにする。
【００６５】
例えば、省エネ制御部５５は、冷房運転時においては、図１４に示すような内容で各空調機２を間欠運転制御し、暖房運転時においては、図１５に示すような内容で各空調機２を間欠運転制御する。即ち、夏期等における冷房運転時では、日射の影響を受ける場所に設置されている空調機２の省エネ制御を、日射の影響を受けない場所に設置されている空調機２の省エネ制御に比べて緩和（弱く）する。また、冬季等における暖房運転時では、日射の影響を受ける場所に設置されている空調機２の省エネ制御を、日射の影響を受ける場所に設置されている空調機２の省エネ制御に比べて強くする。
【００６６】
このようにすることで、日射の影響を受ける場所と、日射の影響を受けない場所との間の快適性の不均衡を防止することができる。
【００６７】
但し、日射の影響は、時間帯によって変化するため、省エネ制御部５５は、時間帯により各空調機２の省エネ強度を調整する。図１６に、省エネ制御部５５が実行する冷房運転時の省エネ強度調整処理のフローを示す。この省エネ強度調整処理は、所定時間毎（例えば、１時間毎）に繰り返し実行される。
【００６８】
省エネ制御部５５は、先ず、現在時刻を取得する（ステップＳ３０１）。例えば、省エネ制御部５５は、現在時刻を当該空調制御装置１が備える図示しない時計機能部から取得する。現在時刻が、１０：００〜１２：００の時間帯に含まれる場合（ステップＳ３０２；ＹＥＳ）、東と南方向から日射の影響を受けるため、省エネ制御部５５は、位置管理テーブル４１１の方角４１１３に設定されている方角情報が、東、南、南西、南東、北東の内の何れかを示す空調機２について、省エネ強度を弱める（ステップＳ３０３）。
【００６９】
また、現在時刻が、１２時から１４時の時間帯に含まれる場合（ステップＳ３０４；ＹＥＳ）、南と西方向から日射の影響を受けるため、省エネ制御部５５は、方角情報が、南、西、南西、南東、北西の内の何れかを示す空調機２について、省エネ強度を弱める（ステップＳ３０５）。また、現在時刻が、１４時から１７時の時間帯に含まれる場合（ステップＳ３０６；ＹＥＳ）は、西から日射の影響を受けるため、省エネ制御部５５は、方角情報が、西、南西、北西の内の何れかを示す空調機２について、省エネ強度を弱める（ステップＳ３０７）。現在時刻が、上記の何れの時間帯にも含まれない場合（ステップＳ３０６；ＮＯ）、省エネ制御部５５は、全空調機２を同条件（即ち、一律の省エネ強度）で間欠運転制御する（ステップＳ３０８）。
【００７０】
また、暖房運転時について説明すると、１０時から１２時の時間帯では、位置管理テーブル４１１の方角４１１３に設定されている方角情報が、東、南、南西、南東、北東の内の何れかを示す空調機２については、省エネ強度を強くする。また、１２時から１４時の時間帯では、方角情報が、南、西、南西、南東、北西の内の何れかを示す空調機２については、省エネ強度を強くする。また、１４時から１７時の時間帯では、方角情報が、西、南西、北西の内の何れかを示す空調機２については、省エネ強度を強くする。そして、これらの時間帯以外では、省エネ制御部５５は、全空調機２を一律の省エネ強度で間欠運転制御する。
【００７１】
なお、上記の各時間帯は、季節によって適宜調整してもよい。例えば、夏期では、東と南方向から日射の影響を受ける時間帯を９時から１２時とし、西から日射の影響を受ける時間帯を１４時から１８時としてもよい。
【００７２】
以上説明したように、本発明の本実施形態に係る空調制御装置１によれば、照度計等の計測装置を必要とせずに、日射の影響を加味して、各空調機２の省エネ制御を実行することができる。これにより、ユーザの快適性を損なうことなく、空調機２の適切な省エネを実現できる。
【００７３】
なお、本発明は、上記実施形態に限定されず、本発明の要旨を逸脱しない範囲での種々の変更は勿論可能である。
【００７４】
例えば、省エネ制御部５５が実行する省エネ制御は、間欠運転に限定されることはない。例えば、設定温度や風量等を一時的に変更することで省エネ制御を行ってもよく、要は、空調機２の消費電力を低下させることのできる制御であればよい。
【００７５】
また、上記実施形態では、座標設定画面８０１において、平面図エリア８０２には、予め画面上方が北側を示す旨が記されていた。しかし、図１７に示すように、座標設定画面８０１の平面図エリア８０２において、ユーザが、上下左右の任意方向を北側に設定できるようにしてもよい。図１７の例では、ユーザは、平面図エリア８０２の上下左右の４方向に配置されたラジオボタン８１０を押下操作することで、所望の方向を北側に設定することができる。
【００７６】
また、データ記憶部４０に記憶されている空調機情報４１の制御管理テーブル４１０や位置管理テーブル４１１の設定内容を表示部１０を介してユーザに提示すると共に、これらのテーブルの設定内容をユーザが操作受付部２０を介して適宜編集できるようにしてもよい。このようにすると、例えば、フロアの何れかの方角端に窓が設けられていない場合や、窓が設けられていても、隣接するビル等との関係でフロアの何れかの方角端において日射の影響を受けない場合等でも、ユーザが、制御管理テーブル４１０の日射影響有無４１０２の設定内容等を適宜変更することで、適切な省エネ制御を実行することができる。
【００７７】
また、上記実施形態の空調制御装置１が実行した各プログラムを既存のパーソナルコンピュータ（ＰＣ）や携帯情報端末等に適用することで、当該ＰＣ等を本発明に係る空調制御装置として機能させることも可能である。
【００７８】
このようなプログラムの配布方法は任意であり、例えば、フレキシブルディスク、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよい。あるいは、インターネット等の通信ネットワーク上のサーバ装置が有するディスク装置等に上記プログラムを格納しておき、かかるサーバ装置から、当該通信ネットワークを介して、上記プログラムを搬送波に重畳させて配信してもよい。
【００７９】
この場合、上述した本発明に係る機能を、ＯＳ（Operating System）とアプリケーションプログラムの分担、またはＯＳとアプリケーションプログラムとの協働により実現する場合などでは、アプリケーションプログラム部分のみを記録媒体等に格納してもよい。
【００８０】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【産業上の利用可能性】
【００８１】
本発明は、オフィスビル等に設置される空調システムに好適に採用され得る。
【符号の説明】
【００８２】
１      空調制御装置
２      空調機
３      専用通信線
１０    表示部
２０    操作受付部
３０    通信部
４０    データ記憶部
４１    空調機情報
４２    画面表示情報
４３    プログラム
５０    制御部
５１    空調制御部
５２    位置情報設定部
５３    方角決定部
５４    日射影響判定部
５５    省エネ制御部
４１０  制御管理テーブル
４１１  位置管理テーブル
４２０  平面図管理テーブル
４２１  平面図データ
４３０  空調制御プログラム
４３１  位置情報設定プログラム
４３２  方角決定プログラム
４３３  日射影響判定プログラム
４３４  省エネ制御プログラム
【図１】
2014038040.tif 000003
【図２】
2014038040.tif 000004
【図３】
2014038040.tif 000005
【図４】
2014038040.tif 000006
【図５】
2014038040.tif 000007
【図６】
2014038040.tif 000008
【図７】
2014038040.tif 000009
【図８】
2014038040.tif 000010
【図９】
2014038040.tif 000011
【図１０】
2014038040.tif 000012
【図１１】
2014038040.tif 000013
【図１２】
2014038040.tif 000014
【図１３】
2014038040.tif 000015
【図１４】
2014038040.tif 000016
【図１５】
2014038040.tif 000017
【図１６】
2014038040.tif 000018
【図１７】
2014038040.tif 000019
【手続補正書】
【提出日】平成26年11月27日(2014.11.27)
【手続補正１】
【補正対象書類名】明細書
【補正対象項目名】０００８
【補正方法】変更
【補正の内容】
【０００８】
上記目的を達成するため、本発明に係る空調制御装置は、
空調機と通信を行う通信部と、
前記空調機に関する各種情報を表示する表示部と、
前記空調機の設置位置に関する情報をユーザが入力するための平面図を前記表示部に表示させ、入力された情報に基づいて前記空調機の設置位置を設定する位置設定部と、
前記空調機の設置位置から、前記空調機が設置されたフロアにおける前記空調機の設置方角を決定する方角決定部と、
前記設置方角に基づいて、前記空調機の設置場所が日射の影響を受けるか否かを判定する日射影響判定部と、
前記日射影響判定部による判定結果に基づいて、前記空調機の省エネ制御を実行する省エネ制御部と、を備え、
前記位置設定部は、特定の方角が、表示された前記平面図における上下左右の４方向の内の何れに対応するかをユーザが入力するための操作ボタンを前記表示部に表示させる。
【手続補正２】
【補正対象書類名】特許請求の範囲
【補正対象項目名】全文
【補正方法】変更
【補正の内容】
【特許請求の範囲】
【請求項１】
空調機と通信を行う通信部と、
前記空調機に関する各種情報を表示する表示部と、
前記空調機の設置位置に関する情報をユーザが入力するための平面図を前記表示部に表示させ、入力された情報に基づいて前記空調機の設置位置を設定する位置設定部と、
前記空調機の設置位置から、前記空調機が設置されたフロアにおける前記空調機の設置方角を決定する方角決定部と、
前記設置方角に基づいて、前記空調機の設置場所が日射の影響を受けるか否かを判定する日射影響判定部と、
前記日射影響判定部による判定結果に基づいて、前記空調機の省エネ制御を実行する省エネ制御部と、を備え、
前記位置設定部は、特定の方角が、表示された前記平面図における上下左右の４方向の内の何れに対応するかをユーザが入力するための操作ボタンを前記表示部に表示させる、空調制御装置。
【請求項２】
前記位置設定部は、前記表示部に、ユーザにより指定された空調機を示すアイコンを、ユーザの操作によって移動可能な態様で前記平面図上に表示させる、請求項１に記載の空調制御装置。
【請求項３】
前記省エネ制御部は、前記日射影響判定部による判定結果と、現在の時間帯と、前記設置方角と、に基づいて、前記空調機の省エネ制御を実行する請求項１又は２に記載の空調制御装置。
【請求項４】
前記省エネ制御部は、冷房運転時において、日射の影響を受ける場所に設置された空調機の省エネ強度を、日射の影響を受けない場所に設置された空調機の省エネ強度よりも弱くする請求項１から３の何れか１項に記載の空調制御装置。
【請求項５】
空調機の設置位置に関する情報をユーザが入力するための平面図を表示部に表示させ、入力された情報に基づいて前記空調機の設置位置を設定する位置設定ステップと、
前記空調機の設置位置から、前記空調機が設置されたフロアにおける前記空調機の設置方角を決定する方角決定ステップと、
前記設置方角に基づいて、前記空調機の設置場所が日射の影響を受けるか否かを判定する日射影響判定ステップと、
前記日射影響判定ステップでの判定結果に基づいて、前記空調機の省エネ制御を実行する省エネ制御ステップと、を含み、
前記位置設定ステップでは、特定の方角が、表示された前記平面図における上下左右の４方向の内の何れに対応するかをユーザが入力するための操作ボタンを前記表示部に表示させる、空調制御方法。
【請求項６】
コンピュータを、
空調機の設置位置に関する情報をユーザが入力するための平面図を表示部に表示させ、入力された情報に基づいて前記空調機の設置位置を設定する位置設定部、
前記空調機の設置位置から、前記空調機が設置されたフロアにおける前記空調機の設置方角を決定する方角決定部、
前記設置方角に基づいて、前記空調機の設置場所が日射の影響を受けるか否かを判定する日射影響判定部、
前記日射影響判定部による判定結果に基づいて、前記空調機の省エネ制御を実行する省エネ制御部、として機能させ、
前記位置設定部は、特定の方角が、表示された前記平面図における上下左右の４方向の内の何れに対応するかをユーザが入力するための操作ボタンを前記表示部に表示させる、プログラム。
【手続補正書】
【提出日】平成28年3月2日(2016.3.2)
【手続補正１】
【補正対象書類名】明細書
【補正対象項目名】０００８
【補正方法】変更
【補正の内容】
【０００８】
上記目的を達成するため、本発明に係る空調制御装置は、
空調機と通信を行う通信部と、
前記空調機に関する各種情報を表示する表示部と、
前記空調機の設置位置に関する情報をユーザが入力するための平面図を前記表示部に表示させ、入力された情報に基づいて前記空調機の設置位置を設定する位置設定部と、
前記空調機の設置位置から、前記空調機が設置されたフロアにおける前記空調機の設置方角を決定する方角決定部と、
前記設置方角に基づいて、前記空調機の設置場所が日射の影響を受けるか否かを判定する日射影響判定部と、
前記日射影響判定部による判定結果に基づいて、前記空調機の省エネ制御を実行する省エネ制御部と、を備え、
前記位置設定部は、前記空調機の通信上のアドレスをユーザが入力するためのアドレス入力画面を前記表示部に表示させ、ユーザによる前記アドレスの入力が完了すると、前記表示部に、入力された前記アドレスに対応する空調機を示すアイコンをユーザの操作によって移動可能な態様で前記平面図上の所定位置に表示させる。
【手続補正２】
【補正対象書類名】特許請求の範囲
【補正対象項目名】全文
【補正方法】変更
【補正の内容】
【特許請求の範囲】
【請求項１】
空調機と通信を行う通信部と、
前記空調機に関する各種情報を表示する表示部と、
前記空調機の設置位置に関する情報をユーザが入力するための平面図を前記表示部に表示させ、入力された情報に基づいて前記空調機の設置位置を設定する位置設定部と、
前記空調機の設置位置から、前記空調機が設置されたフロアにおける前記空調機の設置方角を決定する方角決定部と、
前記設置方角に基づいて、前記空調機の設置場所が日射の影響を受けるか否かを判定する日射影響判定部と、
前記日射影響判定部による判定結果に基づいて、前記空調機の省エネ制御を実行する省エネ制御部と、を備え、
前記位置設定部は、前記空調機の通信上のアドレスをユーザが入力するためのアドレス入力画面を前記表示部に表示させ、ユーザによる前記アドレスの入力が完了すると、前記表示部に、入力された前記アドレスに対応する空調機を示すアイコンをユーザの操作によって移動可能な態様で前記平面図上の所定位置に表示させる、空調制御装置。
【請求項２】
前記位置設定部は、特定の方角が、表示された前記平面図における上下左右の４方向の内の何れに対応するかをユーザが入力するための操作ボタンを前記表示部に表示させる、請求項１に記載の空調制御装置。
【請求項３】
前記省エネ制御部は、前記日射影響判定部による判定結果と、現在の時間帯と、前記設置方角と、に基づいて、前記空調機の省エネ制御を実行する請求項１又は２に記載の空調制御装置。
【請求項４】
前記省エネ制御部は、冷房運転時において、日射の影響を受ける場所に設置された空調機の省エネ強度を、日射の影響を受けない場所に設置された空調機の省エネ強度よりも弱くする請求項１から３の何れか１項に記載の空調制御装置。
【請求項５】
空調機の設置位置に関する情報をユーザが入力するための平面図を表示部に表示させ、入力された情報に基づいて前記空調機の設置位置を設定する位置設定ステップと、
前記空調機の設置位置から、前記空調機が設置されたフロアにおける前記空調機の設置方角を決定する方角決定ステップと、
前記設置方角に基づいて、前記空調機の設置場所が日射の影響を受けるか否かを判定する日射影響判定ステップと、
前記日射影響判定ステップでの判定結果に基づいて、前記空調機の省エネ制御を実行する省エネ制御ステップと、を含み、
前記位置設定ステップでは、前記空調機の通信上のアドレスをユーザが入力するためのアドレス入力画面を前記表示部に表示させ、ユーザによる前記アドレスの入力が完了すると、前記表示部に、入力された前記アドレスに対応する空調機を示すアイコンをユーザの操作によって移動可能な態様で前記平面図上の所定位置に表示させる、空調制御方法。
【請求項６】
コンピュータを、
空調機の設置位置に関する情報をユーザが入力するための平面図を表示部に表示させ、入力された情報に基づいて前記空調機の設置位置を設定する位置設定部、
前記空調機の設置位置から、前記空調機が設置されたフロアにおける前記空調機の設置方角を決定する方角決定部、
前記設置方角に基づいて、前記空調機の設置場所が日射の影響を受けるか否かを判定する日射影響判定部、
前記日射影響判定部による判定結果に基づいて、前記空調機の省エネ制御を実行する省エネ制御部、として機能させ、
前記位置設定部は、前記空調機の通信上のアドレスをユーザが入力するためのアドレス入力画面を前記表示部に表示させ、ユーザによる前記アドレスの入力が完了すると、前記表示部に、入力された前記アドレスに対応する空調機を示すアイコンをユーザの操作によって移動可能な態様で前記平面図上の所定位置に表示させる、プログラム。
【国際調査報告】
2014038040.tif 000020
2014038040.tif 000021
2014038040.tif 000022
2014038040.tif 000023